(57)【要約】      （修正有）【課題】従来の室内用に於ける直下型鯉のぼりを止めて、上下二段の天秤を使用して、頂上の吹流しの下方の３匹の親子鯉のぼりをそれぞれ交互入れ違いに、つまりジグザグ状に吊下げられるように構成した室内用複数段天秤の鯉のぼりを提供する。【解決手段】上段天秤８に於ける天秤太線９の一側端部に吊下げ短線１２にて父鯉のぼり２を吊下げ、他側端部に吊下げ長線１１にて下段天秤１４を吊下げ、該下段天秤１４の一側端部に吊下げ短線１７にて母鯉のぼり３を吊下げ、他側端部に吊下げ長線１８にて子鯉のぼり４を吊下げして、親子鯉のぼりをジグザグ状に上下天秤に吊下げた室内用複数段天秤の鯉のぼり。【選択図】図１
0003181288.tif 000002
【実用新案登録請求の範囲】
【請求項１】
上方の吊下げ線の下部に吹流しを取り付けし、該吹流しの下部から吊下がる吊下げ線の下部を上段天秤の天秤太線に嵌入されているスリーブに取り付けして、該スリーブに挿通されている上段天秤の天秤太線がスリーブ内を左右に摺動調整自由に形成されていて、
上段天秤が吹流しの下方に上記吊下げ線にてぶら下げされており、該上段天秤の天秤太線の一側端部には吊下げ短線が吊下げ設けられ、天秤太線の他側端部には吊下げ長線が吊下げ設けられており、
次いで、上段天秤の一側端部の吊下げ短線には父鯉のぼりが取り付けされ、上段天秤の他側端部の吊下げ長線の下端を下段天秤の天秤太線に嵌入されているスリーブに取り付けし、該スリーブに挿通されている下段天秤の天秤太線が左右に摺動調整自由に形成されていて、
下段天秤は上段天秤の側部下方に下段太線の略２分の１程の長さが外方向へ食み出して吊下げ長線にてぶら下げされており、さらに下段天秤の天秤太線の一側端部には吊下げ短線が吊下げ設けられ、天秤太線の他側端部には吊下げ長線が吊下げ設けられており、
次いで、下段天秤の一側端部の吊下げ短線には母鯉のぼりが取り付けされ、下段天秤の他側端部の吊下げ長線には子鯉のぼりが取り付けされて、
吹流しを中心にして父鯉のぼり，母鯉のぼり，子鯉のぼりがそれぞれジグザグ状に複数段の上下天秤に吊下げ構成されていることを特徴とする室内用複数段天秤鯉のぼり。
【請求項２】
命名カード，雲状絵カードの中央上部にＶ字状の切欠部を設け、該切欠部より下方に向けて切条を設け、
さらに切条の下端部には孔部を設け、上段天秤，下段天秤の天秤太線へ上記命名カード，雲状絵カードをＶ字状の切欠部より差込みして、切条を経て孔部にて嵌入固止してなる請求項１に記載してなる室内用複数段天秤鯉のぼり。
【考案の詳細な説明】
【技術分野】
【０００１】
本考案は、複数段の天秤を利用して、父鯉のぼり，母鯉のぼり，子鯉のぼりをジグザグ状に吊下げできるように構成したことを特徴とする室内用複数段天秤鯉のぼりに関するものであり、
さらに詳しくは、上方の吊下げ線の下部に吹流しを取り付けし、該吹流しの下部から吊下がる吊下げ線の下部を上段天秤の天秤太線に嵌入されているスリーブに取り付けして、該スリーブに挿通されている上段天秤の天秤太線がスリーブ内を左右に摺動調整自由に形成されていて、
上段天秤が吹流しの下方に上記吊下げ線にてぶら下げされており、該上段天秤の天秤太線の一側端部には吊下げ短線が吊下げ設けられ、天秤太線の他側端部には吊下げ長線が吊下げ設けられており、
次いで、上段天秤の一側端部の吊下げ短線には父鯉のぼりが取り付けされ、上段天秤の他側端部の吊下げ長線の下端を下段天秤の天秤太線に嵌入されているスリーブに取り付けし、  該スリーブに挿通されている下段天秤の天秤太線が左右に摺動調整自由に形成されていて、下段天秤は上段天秤の側部下方に下段太線の略２分の１の長さが外方へ食み出して吊下げ長線にてぶら下げされており、
さらに、下段天秤の天秤太線の一側端部には吊下げ短線が吊下げ設けられ、天秤太線の他側端部には吊下げ長線が吊下げ設けられており、次いで、下段天秤の一側端部の吊下げ短線には母鯉のぼりが取り付けされ、下段天秤の他側端部の吊下げ長線には子鯉のぼりが取り付けされて、
吹流しを中心にして父鯉のぼり，母鯉のぼり，子鯉のぼりがそれぞれジグザグ状に複数段の上下天秤に吊下げ構成されていることを特徴とする室内用複数段天秤鯉のぼり、
および命名カード，雲状絵カードの中央上部にＶ字状の切欠部を設け、該切欠部より下方に向けて切条を設け、さらに、切条の下端部には孔部を設け、上段天秤，下段天秤の天秤太線へ上記命名カード，雲状絵カードをＶ字状の切欠部より差込みして、切条を経て孔部にて嵌入固止してなる請求項１に記載してなる室内用複数段天秤鯉のぼりに関するものである。
【背景技術】
【０００２】
鯉のぼりは、元来日本の風習で、江戸時代に武家で始まりました。すなわち、端午の節句である旧暦５月５日までの、梅雨時期に於ける雨の日に男児の出世と健康を願って庭先に建て、鯉のぼりが風をはらませて泳ぐようになびいていた。つまり、鯉のぼりは男児の出世と健康を祝うためのものであった。
【０００３】
古来から鯉のぼりは屋外に立てられるものであった。ところが、最近建てられる一戸建て住宅においては、庭が狭くなる傾向にあり、しかも土の露出した部分が狭められる傾向にある。すなわち、限られた庭部分を客用ガレージなどに用いる場合には、コンクリートやアスファルト、敷石などで舗装される場合が多く、穴を掘って鯉のぼりの支柱を建てることができるスペースがなくなりつつあるのが現状である。また、鉄筋コンクリートや鉄骨造の建築物の屋上などは地面はないので、元々穴を掘るということができない。ゆえに、近年の一戸建て住宅では、庭での鯉のぼりの掲揚は環境に恵まれた人たち以外、非常に困難な情況に余儀なくされてきている。
【０００４】
加えて、高層マンション，高層市営住宅などが激増する現今に於いては、鯉のぼりの掲揚は必然的に屋外から室内へと変遷してきている情況である。そこで、従来の大型の鯉のぼりから小型でコンパクトな鯉のぼりが好まれ、その需要が非常に増加してきている情況である。
【０００５】
ところが、従来の屋内用鯉のぼりは、吹流しを頂点として黒，赤，青の親子鯉のぼりを夫々  直下型に、一本の吊下げ線にて縦列させて吊下げるように構成されていた。すなわち、下記特許分献１，２とも、とても素晴らしい優秀な考案であるが、文献１の図１及び文献２の図３を見る限り、上下に一直線的な鯉のぼりの掲揚であるゆえに、立体感，重量感に欠ける鯉のぼりの印象は避けられないものがある。
【先行技術文献】
【特許文献】
【０００６】
【特許文献１】実用新案登録第３１２９５８０号公報
【特許文献１】実用新案登録第３１０１７１２号公報
【考案の概要】
【考案が解決しようとする課題】
【０００７】
上記の背景より、本考案が解決しようとする課題は、次の通りとなる。
〈課題１〉
従来の直下型室内用鯉のぼりを止めて、吹流しを中心にしてジグザグ状に親子鯉のぼりを夫々吊下げられるように開発する。
〈課題２〉
この際基本構成は、上段天秤及び下段天秤の複数段の天秤を使用するものである。
〈課題３〉
そして、吹流し直下の上段天秤の一側端部或は他側端部から吊下がる吊下げ長線に下段天秤を吊下げできるように形成し、このとき、下段天秤が上段天秤の側部下方に天秤太線の２分の１程の長さが外方に食み出して吊下げ長線にてぶら下げられる配置となした。
〈課題４〉
下段天秤を上段天秤の側部下方に２分の１程外方へ食み出して配置してなる上下２段の天秤を利用して、父鯉のぼり，母鯉のぼり，子鯉のぼりを入れ違いに、つまりジグザグ状に吊下げできるように構成することとする。
〈課題５〉
さらに、上段天秤，下段天秤に吊下げされている各親子鯉のぼりのバランスを確保するため、吊下げ線に取り付けされているスリープ内へ上下両天秤の天秤太線を左右に摺動自由に挿通してあるゆえ、上下両天秤のそれぞれ左右のバランス維持の確保のための調整が自由にできる様にしてある。
【課題を解決するための手段】
【０００８】
本考案は、上記課題を解決するためになされたものであり、以下に示す解決手段を提供する。
上方の吊下げ線の下部に吹流しを取り付けし、該吹流しの下部から吊下がる吊り下げ線の下部を上段天秤の天秤太線に嵌入されているスリーブに取り付けして、該スリーブに挿通されている上段天秤の天秤太線がスリーブ内を左右に摺動調整自由に形成されていて、
上段天秤が吹流しの下方に上記吊下げ線にてぶら下げされており、該上段天秤の天秤太線の一側端部には吊下げ短線が吊下げ設けられ、天秤太線の他側端部には吊下げ長線が吊下げ設けられており、
次いで、上段天秤の一側端部の吊下げ短線には父鯉のぼりが取り付けされ、上段天秤の他側端部の吊下げ長線の下端を下段天秤の天秤太線に嵌入されているスリーブに取付けし、該スリーブに挿通されている下段天秤の天秤太線が左右に摺動調整自由に形成されていて、
下段天秤は上段天秤の側部下方に天秤太線の略２分の１の長さが外方向に食み出して吊下げ長線にてぶら下げされており、さらに、下段天秤の天秤太線の一側端部には吊下げ短線が吊下げ設けられ、天秤太線の他側端部には、吊下げ長線が吊下げ設けられており、
次いで、下段天秤の一側端部の吊下げ短線には母鯉のぼりが取付けされ、下段天秤の他側端部の吊下げ長線には子鯉のぼりが取付けされて、
吹流しを中心にして父鯉のぼり，母鯉のぼり，子鯉のぼりがそれぞれジグザグ状に複数段の上下天秤に吊下げ構成されていることを特徴とする室内用複数段天秤鯉のぼり、及び命名カード，雲状絵カードの中央上部にＶ字状の切欠部を設け、該切欠部より下方に向けて切条を設け、
さらに切条の下端部には孔部を設け、上段天秤，下段天秤の天秤太線へ上記命名カード，雲状絵カードをＶ字状の切欠部より差込みして、切条を経て孔部にて嵌入固止してなる請求項１に記載してなる室内用複数段天秤鯉のぼり。
【考案の効果】
【０００９】
本考案の鯉のぼりの最も大きな効果は、上段天秤は頂上の吹流し下方の略中心位置に吊下げられているが、下段天秤は上段天秤の一側端部或は他側端部の下方の外側に天秤太線の略２分の１の長さが食み出して形成されているゆえ、該上下天秤の天秤太線両端から吊下がる長短の吊下げ線に取付けられている親子鯉のぼりが、それぞれ入れ違いに、つまりジグザグ状に吊下げ構成されるものである。したがって、本考案の親子鯉のぼりを室内に掲揚した際には、頗る立体感とボリュウム感が表出され、見栄えのある鯉のぼりに進化を成し遂げたことである。
【００１０】
そして、この際さらに本考案の具体的な魅力は、上下天秤の天秤太線に吊下げられているジグザグ状の親子鯉のぼりが室内で使用されるエアコン，扇風機などの風力により、恰も池の中を泳ぐかのように揺れ動き、モビール鯉のぼりの存在感を発揮することである。
【００１１】
また、天秤太線にスリーブを左右に摺動自由に挿嵌してあるゆえ、上下天秤に吊下げされている親子鯉のぼりのバランスの保持を、天秤太線をスリーブ中を摺動させることによって自由に調整を行うことが出来る様になっている。
【００１２】
さらに、上下天秤の天秤太線に命名カード，雲状絵カードを挿入できるようにして、スリーブ中の天秤太線の摺動の調整と相俟って、之また、鯉のぼりの安定性とバランスの維持並に美感を高めるものである。
【００１３】
そして、さらに上記カードにはＶ字状の切欠部が設けられ、さらに下方に切条を入れてその下に孔部を設けたゆえ、命名カード，雲状絵カードを天秤太線への嵌め，外しが容易であり、然かも、上記カードが安定性良く挿嵌されていて、妄りに落下して行かないようにしたことである。
【図面の簡単な説明】
【００１４】
【図１】（ａ）  本考案の実施例１の室内用複数段天秤鯉のぼりを全体から眺めた正面図であって、下段天秤が上段天秤の左側端部の吊下げ長線に吊下げられて構成されている場合を示すものである。（ｂ）  本考案の実施例１の室内用複数段天秤鯉のぼりを全体から眺めた正面図であって、下段天秤が上段天秤の右側端部の吊下げ長線に吊下げられて構成されている場合を示すものである。
【図２】（ａ）  本考案の上段天秤および下段天秤の天秤太線の夫々の左側端部に吊下げ線を吊下げる構成の１例を示す説明図である。（ｂ）  本考案の上段天秤および下段天秤の夫々の右側端部に吊下げ線を吊下げる構成の１例を示す説明図である。
【図３】本考案の上下天秤の天秤太線に挿嵌する逆Ｔ型スリーブの構成の１例を示す説明図である。
【図４】本考案の上下天秤の天秤太線に命名カードを挿嵌した状態を示す正面図である。
【図５】本考案の天秤太線に命名カードを挿嵌する状態を示す斜視図である。
【図６】本考案の上下天秤の天秤太線に雲状絵カードを挿嵌した状態を示す正面図である。
【図７】本考案の各吊下げ線がクリップを使用して吹流しおよび親子鯉のぼりを取り付ける状態を示す参考斜視図である。
【図８】本考案の鯉のぼりを釣竿を使用して吊下げた状態を示す正面図である。
【考案を実施するための形態】
【００１５】
本考案を実施するための形態を、図面を参照しながら詳細に説明する。
【実施例１】
【００１６】
〈実施例１の構成〉
本考案の実施例１の室内用複数段天秤鯉のぼりは、図１ａ、図１ｂに見るように、吹流しを下方に複数段の天秤を使用して親子鯉のぼりを交互入れ違いに、所謂ジグザグ状に吊下げできる様にした。然かも、スリーブを利用して鯉のぼりをバランス良く吊下げできる構成にした。そして、さらに室内のエアコンや扇風機の風力を利用して、上記鯉のぼりが、揺れ動いて恰も室内を泳ぐような立体感を持たせるように構成させたものである。
【００１７】
すなわち、図１ａ，図１ｂに示すように、吹流し１の中央上部は、上端部に磁石５を取付けてなる吊下げ線６の下端部に取付けしてなるクリップ７にて挟着されて、吹流し１は吊下げ線６に吊下げされ設けられている。次に、上段天秤８の天秤太線９に逆Ｔ型スリーブ１０が嵌入されていて、該逆Ｔ型スリープ１０に穿孔されている孔部１５には、吹流し１の下部から吊下げられている吊下げ線１３下端部にて取付けされて、上段天秤８が吹流し１の下方に吊下げ線１３にて吊下げられている。
【００１８】
そして、図１ａ，図１ｂに示すように上段天秤８の天秤太線９一側端部には吊下げ短線１２が吊下げされており、また、他側端部には吊下げ長線１１が吊下げられている。この場合１例として、図２ａ，図２ｂに示すように天秤太線９の両側端部にリング２２を設けたパイプ２３を固着して、両吊下げ線１１，１２の先端部をリング２３へ取り付けすれば良い。なお、吊下げ短線１２の長さは吊下げ長線１１の長さの半分以下の寸法であることが望ましい。そして、上段天秤８の天秤太線９の端部の吊下げ短線１２にはクリップ２０によって父鯉のぼり２が吊下げされる。
【００１９】
また、天秤太線９の他端部から吊下げされている吊下げ長線１１の下部は、図３に示すように、下段天秤１４の天秤太線２４に嵌入されている逆Ｔ字型スリープ１６のリング１５に取り付けされている。なお、下段天秤１４の天秤太線２４は逆Ｔ字型スリーブ１６中を左右に摺動自由であることは勿論である。
【００２０】
次に、図１ａ，図１ｂ，図２に示すように、下段天秤１４の天秤太線２４の左右両側端部にリング２２を設けたパイプ２３を固着する。そして、天秤太線２４の端部に固着したパイプ２３のリング２２へ吊下げ短線１７の上端部を取付けする。該吊下げ短線１７の下端部にはクリップ１９にて母鯉のぼり３を挟着して、母鯉のぼりが吊下げられている。同じく天秤太線２４の他側端部に固着したパイプ２３のリング２２へ吊下げ長線１８の上端部を取り付けする。該吊下げ長線１８の下側端部にはクリップ２１にて子鯉のぼり４挟着して、子鯉のぼりが吊下げ長線１８に吊下げられている。なお、上記吊下げ短線１７の長さは吊下げ長線１８の長さの約３分の１位の寸法が望ましい。
【００２１】
以上に述べた吊下げ線６，１３および上段天秤の天秤太線１０、吊下げ長線１１，吊下げ短線１２並びに下段天秤の天秤太線２４吊下げ短線１７，吊下げ長線１８の材質は、合成樹脂製，繊維製，針金，皮革など何れの材質のものを使用しても良い。
【００２２】
また、父鯉のぼり２，母鯉のぼり３，子鯉のぼり４は、出願人が既に所得している実用新案登録第３１０１７１２号および実用新案登録第３１２９５８０号の登録実用新案公報に記載されている鯉のぼりの内部にフイルム風船を収容した鯉のぼりを使用することにより、より一層の搖動感，浮遊感に溢れるモビール鯉のぼりの本領が発揮され、望ましいものである。然しながら、本考案の親子鯉のぼりの内部にフイルム風船の鯉のぼりを収容する代わりに綿，その他の繊維などを収容しても、勿論同じ効果が得られるものであることは当然である。
【００２３】
次に、図４乃至図６示すように、命名カード２５及び雲状絵カード２９の中央上部にＶ字状の切欠部２６，３１を設け、該切欠部２６，３０より下方に向けて切条２８，３１を設け、さらに切条２８，３１の下端部には孔部２７，３２を設ける。そして、上段天秤８，下段天秤１４の天秤太線９，２４へ上記命名カード２５及び雲状絵カード２９をＶ字状の切欠部２６，３０より差し込みして、切条２８，３１を経て孔部２７，３２へ嵌入固止する。したがつて、命名カード２５，雲状絵カード２９は天秤太線上を左右に摺動調整自由になるものである。また、この際命名カード、雲状絵カードの名称，形状に拘泥されるものでなく、随意の文字、絵カードを用いても勿論良い。
【００２４】
以上のように本考案の鯉のぼりは、図１ａに示すように下段天秤１４を上段天秤８の下方の左側方向に食み出して吊下げ形成して、母鯉のぼり２を前方へ突出した位置にしても良く。また、反対に図１ｂに示すように下段天秤１４を上段天秤８の下方の右方向に食み出して吊下げ形成して、母鯉のぼり３を後方へ突出した位置にしても良い。図１ａと図１ｂの鯉のぼりは、上下天秤と父，母鯉のぼりの位置を、ただ、対照的に形成してあるだけのことでして、同一考案であることは勿論自明の理のことである。
【００２５】
＜実施例１の作用＞
上記のように、実施例１の図１ａまたは図１ｂに示すように、鯉のぼりの向きがどちらの場合に於ても、本考案の鯉のぼりは、必ず吹流しを中心にして三匹の親子鯉のぼりがジグザグ状に吊下げ線にて吊下げられて構成されているものである。従って、本考案の鯉のぼりを室内にて使用するときには、なるべく、エアコンの風当たりの良い場所の天井付近の金属製の板に、本考案の吊下げ線６の上端部の磁石５を当接して、或は引掛具を使用して本考案の鯉のぼりを吊下げする。そうすると立体的にぶら下げられている親子三匹の鯉のぼりが、エアコンの風力により各鯉のぼりが上下左右に揺動し浮遊し始める。それは恰も鯉が池の中を泳ぐかの様相を髣髴させるものがあって、本考案がモビール鯉のぼりと言われる所以がここに存在する。なお、図８に示すように、スタンド３４に直立させた釣竿３３の先端部に吊下げ線６を結び付けして本考案の鯉のぼりを吊下げして使用しても良い。
【００２６】
また、本考案は、上下天秤が傾いたりしてそれぞれバランスの悪い場合には、天秤太線を逆Ｔ字型のスリーブ内を摺動させて、上下天秤のバランスの状態を良好に調整できるものである。さらに、エアコンの風力にて親子鯉のぼりがそれぞれ揺れ動いている最中でも、天秤太線に嵌着されている命名カードや雲状絵カードは、天秤太線に堅牢に保持されていて妄りに天秤太線から落下する虞は毫もない。
【００２７】
本考案は、実施例１の図１ａ，図１ｂに示すように、鯉のぼりを吊下げる天秤を上下２段を使用した場合を説明しているが、上下２段の天秤に拘泥することなく、天秤を３段，４段の複数段にして使用しても勿論差支えない。この場合も各鯉のぼりがジグザグ状に吊下げられていることは当然である。
【産業上の利用可能性】
【００２８】
本考案の室内用複数段天秤鯉のぼりは、従来の直下型に鯉のぼりを吊下げする方式を止めて、複数段の上下天秤を使用して親子鯉のぼりをジグザグ状に吊り下げられるようにした。したがって、立体的な揺動感，浮遊感が表出され室内用の鯉のぼりとしては最高のものである。そして、さらに命名カード，雲状絵カード取り付けて見栄えと、豪華さを付け加えたことにより、産業上に寄与するところ誠に大である。
【符号の説明】
【００２９】
１          吹流し
２          父鯉のぼり
３          母鯉のぼり
４          子鯉のぼり
５          磁石
６          吊下げ線
７          クリップ
８          上段天秤
９          天秤太線
１０        逆Ｔ字型スリーブ
１１        吊下げ長線
１２        吊下げ短線
１３        吊下げ線
１４        下段天秤
１５        リング
１６        逆Ｔ字型スリーブ
１７        吊下げ短線
１８        吊下げ長線
１９        クリップ
２０        クリップ
２１        クリツプ
２２        リング
２３        パイプ
２４        秤太線
２５        命名カード
２６        Ｖ字状の切欠部
２７        孔部
２８        切条
２９        雲状絵カード
３０        Ｖ字状の切欠部
３１        切条
３２        孔部
３３        釣竿
３４        スタンド
【図１】
0003181288.tif 000003
【図２】
0003181288.tif 000004
【図３】
0003181288.tif 000005
【図４】
0003181288.tif 000006
【図５】
0003181288.tif 000007
【図６】
0003181288.tif 000008
【図７】
0003181288.tif 000009
【図８】
0003181288.tif 000010